(57)【要約】【課題】操作者が設備管理装置の機種を意識することなくビルの設備のスケジュール変更を登録できるスケジュール変更システムを得る。【解決手段】ビルと前記ビルビルの設備を管理する設備管理装置の機種の対応関係を規定しているビル／機種対応テーブルと、前記設備管理装置の機種とスケジュールの処理日の対応関係を規定している機種／処理日対応テーブルと、前記管理対象のビルの設備のスケジュール変更の送信要求が有る場合には、入力されたスケジュール変更データのうちビルデータから前記ビル／機種対応テーブルを参照して設備管理装置の機種を認識し、この認識した設備管理装置の機種から前記機種／処理日対応テーブルを参照してスケジュールの処理日を認識し、この認識したスケジュールの処理日に前記入力されたスケジュール変更データを前記スケジュール変更データから認識した設備管理装置に送信するマンマシンインターフェース１１とを設けた。【選択図】図１
2005084835.tif 000002
【特許請求の範囲】
【請求項１】
管理対象のビルに設置され前記ビルの設備を管理する複数の設備管理装置と、前記複数の設備管理装置を遠隔制御する遠隔制御装置とがネットワークを介して接続されたスケジュール変更システムであって、
前記ビルと前記設備管理装置の機種の対応関係を規定している第１の対応テーブルと、
前記設備管理装置の機種と前記設備管理装置の機種のスケジュールの処理日の対応関係を規定している第２の対応テーブルとを備え、
前記遠隔制御装置は、前記ビルの設備のスケジュール変更の送信要求が有る場合には、入力されたスケジュール変更データのうちビルデータから前記第１の対応テーブルを参照して設備管理装置の機種を認識し、この認識した設備管理装置の機種から前記第２の対応テーブルを参照してスケジュールの処理日を認識し、この認識したスケジュールの処理日に前記入力されたスケジュール変更データを前記入力されたスケジュール変更データから認識した設備管理装置に送信する
ことを特徴とするスケジュール変更システム。
【請求項２】
前記遠隔制御装置は、マンマシンインターフェースである
ことを特徴とする請求項１記載のスケジュール変更システム。
【発明の詳細な説明】
【技術分野】
【０００１】
この発明は、操作者が設備管理装置の機種を意識することなく、照明機器や空調機器などのビルの設備のＯＮ、ＯＦＦ制御のスケジュール変更を登録できるスケジュール変更システムに関するものである。
【背景技術】
【０００２】
従来のビル管理装置は、建物内に設置された機器の運転をスケジュール管理し、スケジュール管理される機器に対する一連の制御内容が複数種類設定可能であり且つそれらの制御内容が動作パターンとして区別され、日毎に日付と動作パターンとを関連づけたカレンダデータと、動作パターンの一連の制御内容を規定する動作設定データと、カレンダデータから各日付に対応した動作パターンを取り出し、その動作パターンの制御内容を動作設定データを参照して取得し、その取得した制御内容にしたがい各機器の動作を制御するスケジュール制御部とを備える（例えば、特許文献１参照）。
【０００３】
【特許文献１】特開２００２−２８７８０５号公報（第１頁、図１）
【発明の開示】
【発明が解決しようとする課題】
【０００４】
上述したような従来の装置では、スケジュール管理の違いによる機種の相違については考慮されていない。スケジュール管理の違いにより設備管理装置の機種が複数有り、操作者が設備管理装置の機種を判別した上でスケジュールを設定、変更しなければならないという問題点があった。
【０００５】
この発明は、上述のような課題を解決するためになされたもので、その目的は、操作者が設備管理装置の機種を意識することなく、照明機器や空調機器などのビルの設備のＯＮ、ＯＦＦ制御のスケジュール変更を登録できるスケジュール変更システムを得るものである。
【課題を解決するための手段】
【０００６】
この発明に係るスケジュール変更システムは、管理対象のビルに設置され前記ビルの設備を管理する複数の設備管理装置と、前記複数の設備管理装置を遠隔制御する遠隔制御装置がネットワークを介して接続されたスケジュール変更システムであって、前記ビルと前記設備管理装置の機種の対応関係を規定している第１の対応テーブルと、前記設備管理装置の機種と前記設備管理装置の機種のスケジュールの処理日の対応関係を規定している第２の対応テーブルとを設け、前記遠隔制御装置は、前記ビルの設備のスケジュール変更の送信要求が有る場合には、入力されたスケジュール変更データのうちビルデータから前記第１の対応テーブルを参照して設備管理装置の機種を認識し、この認識した設備管理装置の機種から前記第２の対応テーブルを参照してスケジュールの処理日を認識し、この認識したスケジュールの処理日に前記入力されたスケジュール変更データを前記入力されたスケジュール変更データから認識した設備管理装置に送信するものである。
【発明の効果】
【０００７】
この発明に係るスケジュール変更システムは、操作者が設備管理装置の機種を意識することなく、対象ビルの設備のスケジュール変更を登録できるという効果を奏する。
【発明を実施するための最良の形態】
【０００８】
実施の形態１．
この発明の実施の形態１に係るスケジュール変更システムについて図面を参照しながら説明する。図１は、この発明の実施の形態１に係るスケジュール変更システムとしての遠隔制御監視システムの構成を示す図である。
【０００９】
図１において、管理会社の管理センター１０には、パソコンなどのマンマシンインターフェース１１と、パソコンなどの送受信装置１２と、公衆電話回線、インターネットなどのネットワーク２０に接続されたモデムなどの通信装置１３と、パソコンなどのデータベース（ＤＢ）サーバ１４と、大容量記憶装置に構築されたデータベース（ＤＢ）１５とが設けられている。マンマシンインターフェース１１、送受信装置１２及びデータベースサーバ１４は、バスなどで相互に接続され、マンマシンインターフェース１１はデータベース１５のデータを容易に参照でき、この場合のデータの転送などの動作は特に説明しない。なお、マンマシンインターフェース１１は、インターネットによりビルのオーナーなどのユーザのパソコンと接続され、ユーザのパソコンからマンマシンインターフェース１１のホームページをアクセスして閲覧可能である。
【００１０】
また、図１において、Ａビル３０には、ネットワーク２０に接続されたモデムなどの通信装置３１と、照明機器３３、空調機器３４などをＯＮ、ＯＦＦ制御したり、監視したりする設備管理装置３２とが設けられている。同様に、Ｂビル４０には、ネットワーク２０に接続されたモデムなどの通信装置４１と、照明機器４３、空調機器４４などをＯＮ、ＯＦＦ制御したり、監視したりする設備管理装置４２とが設けられている。
【００１１】
図２は、この発明の実施の形態１に係る設備管理装置の動作を説明するための図である。同図（ａ）は、例えばＡビル３０に設置された設備管理装置３２の基本的な動作を示し、同図（ｂ）は、例えばＢビル４０に設置された設備管理装置４２の基本的な動作を示す。
【００１２】
図２（ａ）において、設備管理装置３２は、当日テーブル３６のスケジュールデータに従って、例えば照明機器３３をＯＮ、ＯＦＦ制御する。この当日テーブル３６は、設備管理装置３２が基本スケジュール３５から当日に設定する。例えば、当日が水曜日の場合には、設備管理装置３２は、水曜日に、例えば朝一番の０時に、基本スケジュール３５の水曜日のスケジュールデータを当日テーブル３６に設定する。従って、設備管理装置３２は、基本スケジュール３５の変更を、１日前に、上記の例では火曜日にしなければならない。なお、基本スケジュール３５には、各曜日に、初期値として、例えばＯＮ時間が０９：００、ＯＦＦ時間が１７：００のスケジュールデータが登録されている。
【００１３】
図２（ｂ）において、設備管理装置４２は、当日テーブル４６のスケジュールデータに従って、例えば照明機器４３をＯＮ、ＯＦＦ制御する。この当日テーブル４６は、設備管理装置４２が基本スケジュール４５から前日に設定する。例えば、当日が水曜日の場合には、設備管理装置４２は、火曜日に、例えば２３時５９分に、基本スケジュール４５の水曜日のスケジュールデータを当日テーブル３６に設定する。従って、設備管理装置４２は、基本スケジュール４５の変更を、２日前に、上記の例では月曜日にしなければならない。なお、基本スケジュール４５には、各曜日に、初期値として、例えばＯＮ時間が０９：００、ＯＦＦ時間が１７：００のスケジュールデータが登録されている。
【００１４】
図３は、この発明の実施の形態１に係るスケジュール変更システムのデータベースの構成例を示す図である。同図（ａ）はスケジュール変更データベース１５１、同図（ｂ）はビル／機種対応テーブル（第１の対応テーブル）１５２、同図（ｃ）は機種／処理日対応テーブル（第２の対応テーブル）１５３をそれぞれ示す。
【００１５】
図３（ａ）において、スケジュール変更データベース１５１は、データ項目として、『ビル』、『設備』、『場所』、『変更データ』などから構成されている。
【００１６】
図３（ｂ）において、ビル／機種対応テーブル１５２は、データ項目として、『ビル』、『設備管理装置の機種』などから構成されている。
【００１７】
図３（ｃ）において、機種／処理日対応テーブル１５３は、データ項目として、『設備管理装置の機種』、『スケジュールの処理日』などから構成されている。
【００１８】
図４は、この発明の実施の形態１に係るスケジュール変更システムのマンマシンインターフェースのスケジュール変更の入力画面例を示す図である。同図において、マンマシンインターフェース１１の入力画面には、ビル名の入力欄１１１と、設備名の入力欄１１２と、場所の入力欄１１３と、変更データの入力欄１１４と、『送信』ボタンと、『取消』ボタンなどが設けられている。
【００１９】
つぎに、この実施の形態１に係るスケジュール変更システムの動作について図面を参照しながら説明する。図５は、この発明の実施の形態１に係るスケジュール変更システムのマンマシンインターフェースの動作を示すフローチャートである。
【００２０】
まず、ステップ１０１において、マンマシンインターフェース１１は、スケジュール変更の送信要求が有るか否かを判断する。すなわち、図４に示すような、スケジュール変更の入力画面から『送信』がクリックされたかどうか判断する。スケジュール変更の送信要求が有る場合には、次のステップ１０２へ進む。
【００２１】
上記のスケジュール変更の入力は、管理センター１０の操作者が行っているが、ビルのオーナーなどのユーザも可能である。ユーザのパソコンからインターネットを通じてマンマシンインターフェース１１のホームページを閲覧しスケジュール変更の入力画面をアクセスする。
【００２２】
次に、ステップ１０２において、マンマシンインターフェース１１は、入力データをデータベース（ＤＢ）に登録する。すなわち、図４に示すような、スケジュール変更の入力画面から、入力されたビル名、設備名、場所、変更データなどを、データベースサーバ１４へ転送する。データベースサーバ１４は、マンマシンインターフェース１１から転送されてきたビル名、設備名、場所、変更データなどを、スケジュール変更データベース１５１の対応するエリアに格納する。
【００２３】
スケジュール変更データの具体例は、図４のスケジュール変更の入力画面と、図３（ａ）のスケジュール変更データベース１５１に示す通りである。すなわち、一つは、Ａビルの１Ｆエントランスの照明を、２００３年０７月３０日には、０９：００にＯＮ、１２：００にＯＦＦする、データである。二つ目は、Ｂビルの１Ｆエントランスの照明を、２００３年０７月３０日には、０９：００にＯＮ、１２：００にＯＦＦする、データである。
【００２４】
次に、ステップ１０３において、マンマシンインターフェース１１は、スケジュール変更の対象ビルから設備管理装置の機種を判別する。すなわち、上述した具体例では、図３（ｂ）に示すビル／機種対応テーブル１５２を参照して、例えば、ビルが『Ａ』の場合には、設備管理装置の機種は『ＭＡ』であると認識できる。また、ビルが『Ｂ』の場合には、設備管理装置の機種は『ＭＢ』であると認識できる。
【００２５】
次に、ステップ１０４において、マンマシンインターフェース１１は、設備管理装置の機種に応じて所定日前にスケジュール変更データを送信する。すなわち、上述した具体例では、図３（ｃ）に示す機種／処理日対応テーブル１５３を参照して、例えば、設備管理装置の機種が『ＭＡ』の場合には、スケジュール変更データの処理日は『１日前に送信』であると認識できる。また、設備管理装置の機種が『ＭＢ』の場合には、スケジュール変更データの処理日は『２日前に送信』であると認識できる。
【００２６】
マンマシンインターフェース１１は、スケジュール変更の対象ビルがＡビル３０の場合は、スケジュール変更データの処理日が『１日前に送信』であると認識できる。従って、上述した具体例では、２００３年０７月２９日には、送受信装置１２により、通信装置１３、ネットワーク２０、通信装置３１を経由して、スケジュール変更データを設備管理装置３２へ送信する。設備管理装置３２は、スケジュール変更データを受信すると、基本スケジュール３５の該当曜日のスケジュールデータを更新する。
【００２７】
また、マンマシンインターフェース１１は、スケジュール変更の対象ビルがＢビル４０の場合は、スケジュール変更データの処理日が『２日前に送信』であると認識できる。従って、上述した具体例では、２００３年０７月２８日には、送受信装置１２により、通信装置１３、ネットワーク２０、通信装置３１を経由して、スケジュール変更データを設備管理装置４２へ送信する。設備管理装置４２は、スケジュール変更データを受信すると、基本スケジュール４５の該当曜日のスケジュールデータを更新する。
【００２８】
なお、ステップ１０３及び１０４の処理を、データベースサーバ１４がマンマシンインターフェース１１と同様に行ってもよい。また、ステップ１０４の処理を、送受信装置１２が行ってもよい。
【００２９】
また、１日の設定を４８時間（４８：００）とし、午前０時をまたいだ設定も可能な設備管理装置もあり、このような機種では時間の概念が判りにくくなっている。つまり、本日の２８時（２８：００）と明日の４時（０４：００）が同じ意味となるため、操作者には理解しがたい概念である。そこで、例えば、設備管理装置に７月３０日の２８時（２８：００）に実行するスケジュールが登録されている場合、マンマシンインターフェース１１は、７月３１日の４時（０４：００）に実行と表示する。このように、マンマシンインターフェース１１で、時間を変換して、判り易い画面にすることにより、操作者の混乱を軽減することができる。
【図面の簡単な説明】
【００３０】
【図１】この発明の実施の形態１に係るスケジュール変更システムとしての遠隔制御監視システムの構成を示す図である。
【図２】この発明の実施の形態１に係る設備管理装置の動作を説明するための図である。
【図３】この発明の実施の形態１に係るスケジュール変更システムのデータベースの構成例を示す図である。
【図４】この発明の実施の形態１に係るスケジュール変更システムのマンマシンインターフェースのスケジュール変更の入力画面例を示す図である。
【図５】この発明の実施の形態１に係るスケジュール変更システムのマンマシンインターフェースの動作を示すフローチャートである。
【符号の説明】
【００３１】
１０  管理センター、１１  マンマシンインターフェース、１２  送受信装置、１３  通信装置、１４  データベース（ＤＢ）サーバ、１５  データベース（ＤＢ）、２０  ネットワーク、３０  Ａビル、３１  通信装置、３２  設備管理装置、３３  照明機器、３４  空調機器、４０  Ｂビル、４１  通信装置、４２  設備管理装置、４３  照明機器、４４  空調機器。
【図１】
2005084835.tif 000003
【図２】
2005084835.tif 000004
【図３】
2005084835.tif 000005
【図４】
2005084835.tif 000006
【図５】
2005084835.tif 000007